(57)【特許請求の範囲】
【請求項１】
ユーザーが運転する車両に関する情報であって、車両の機能情報を含む情報を取得する運転車両情報取得手段と、
前記ユーザーが現に運転する車両について前記運転車両情報取得手段により取得された情報と、過去に前記ユーザーが現に運転する車両とは異なる車両を運転した際に前記運転車両情報取得手段により取得された情報と、の比較に基づきユーザーにアドバイスを提供するための制御を行なうアドバイス提供制御手段と、
を備え、ユーザーにより携帯可能なデバイスであるアドバイス提供システム。
【請求項２】
請求項１に記載のアドバイス提供システムであって、
前記アドバイス提供制御手段は、前記ユーザーが現に運転する車両について前記運転車両情報取得手段により取得された車両の機能情報と、過去に前記ユーザーが運転した際に前記運転車両情報取得手段により取得された車両の機能情報と、が異なる部分を有する場合に、該異なる部分についてユーザーにアドバイスを提供するための制御を行なう手段である、
アドバイス提供システム。
【請求項３】
請求項１又は２に記載のアドバイス提供システムであって、
前記運転車両情報取得手段により取得される車両に関する情報は、当該車両における前記ユーザーの運転操作傾向を含む、アドバイス提供システム。
【発明の詳細な説明】
【技術分野】
【０００１】
本発明は、ユーザーが複数の車両を運転する場合に、車両間の条件の差異に適応したアドバイスを行なうアドバイス提供システムに関する。
【背景技術】
【０００２】
従来、ユーザーが自己の自動車以外の他の自動車を運転する場合に、自動車の制御ゲインを変更して操作感が大きく異ならないようにする自動車の制御ゲイン変更方法その他についての発明が開示されている（例えば、特許文献１参照）。この方法では、特定の車両において設定された車載機器設定情報や走行操作情報を位置情報や時間と共に記憶して、自動車と通信可能なサーバーに蓄積しておき、他の自動車を運転する際にサーバーから情報を取得して当該自動車の制御ゲインを変更するものとしている。
【特許文献１】特開２００３−５１０９５号公報
【発明の開示】
【発明が解決しようとする課題】
【０００３】
しかしながら、上記従来の方法等では、各自動車が異なる機能を有する場合に、ユーザーに適切な支援を行なうことができない。この結果、ユーザーが新しく運転する車両にスムーズに対応することができない場合が生じる。
【０００４】
本発明はこのような課題を解決するためのものであり、複数の車両を運転するユーザーに適切なアドバイスを提供することを、主たる目的とする。
【課題を解決するための手段】
【０００５】
上記目的を達成するための本発明の一態様は、ユーザーが運転する車両に関する情報を取得する運転車両情報取得手段と、ユーザーが現に運転する車両について運転車両情報取得手段により取得された情報と、過去にユーザーが現に運転する車両とは異なる車両を運転した際に運転車両情報取得手段により取得された情報と、の比較に基づきユーザーにアドバイスを提供するための制御を行なうアドバイス提供制御手段と、を備えるアドバイス提供システムである。
【０００６】
この本発明の一態様によれば、複数の車両を運転するユーザーに適切なアドバイスを提供することができる。
【０００７】
本発明の一態様において、運転車両情報取得手段により取得される車両に関する情報は、車両の機能情報を含むものとしてもよい。この場合、アドバイス提供制御手段は、ユーザーが現に運転する車両について運転車両情報取得手段により取得された車両の機能情報と、過去にユーザーが運転した際に運転車両情報取得手段により取得された車両の機能情報と、が異なる部分を有する場合に、異なる部分についてユーザーにアドバイスを提供するための制御を行なう手段であるものとしてもよい。
【０００８】
また、本発明の一態様において、運転車両情報取得手段により取得される車両に関する情報は、当該車両におけるユーザーの運転操作傾向を含むものとしてもよい。
【発明の効果】
【０００９】
本発明によれば、複数の車両を運転するユーザーに適切なアドバイスを提供することができる。
【発明を実施するための最良の形態】
【００１０】
以下、本発明を実施するための最良の形態について、添付図面を参照しながら実施例を挙げて説明する。
【実施例】
【００１１】
以下、本発明の一実施例に係るアドバイス提供システム１について説明する。図１は、アドバイス提供システム１の構成の一例を示す機能ブロック図である。アドバイス提供システム１は、例えば、ユーザーにより携帯可能なデバイスとして構成される。すなわち、携帯電話やＰＤＡ（Personal  Digital  Assistant；携帯情報端末）、ノートパソコン、ＩＣカード、磁気カード等を基本として設計される。アドバイス提供システム１は、ユーザー認証部１０と、情報取得部２０と、メモリ３０と、情報提供判断部４０と、アドバイス判断部５０と、ＨＭＩ６０と、対センター通信部７０と、を備える。
【００１２】
ユーザー認証部１０は、車両をこれから運転する運転者が特定のユーザーであるか否かを判断するための機器である。具体的には、何らかの入力装置を用いたパスワード認証、指紋認証装置による指紋認証、カメラによる顔画像認証、音声認証等が行なわれる。
【００１３】
情報取得部２０は、ユーザーが運転する車両に搭載された車載機８０との通信により、車両に関する情報（以下、車両情報と称する）、ナビ情報等を取得する。車載機８０との通信形式としては、例えば、Bluetooth（登録商標）や赤外線通信、磁気通信等の方式による短距離無線通信が行なわれてもよいし、ケーブル接続、或いは機械的に連結等されて有線通信が行なわれてもよい。従って、情報取得部２０は、採用される通信形式に応じて、無線通信装置、赤外線ポート、トランスポンダ、磁気記憶部、ケーブルジャック、連結部等を含む態様となる。また、複数の通信形式に対応できるように、複数の態様の情報取得部２０を備えるものとしてもよい。
【００１４】
図２は、車載機８０の構成の一例を示す図である。図示する如く、車載機８０は、アクセル開度センサー８１、ブレーキ踏量センサー８２、ステアリング操舵角８３等の車載センサーや、ＧＰＳ受信機８５、地図情報を格納した記憶部８６、制御コンピューター８７等を有する車載ナビゲーション装置８４、車両が有する機能に関する車両機能情報（車両のサイズやスペック、特有の機能等を含む）を記憶した車両機能記憶部８８、情報取得部２０との通信を行なう情報送信部８９等を備える。
【００１５】
車両情報は、上記車両機能情報や、アクセル開度、ブレーキ踏量、ステアリング操舵角等の各種車載センサーの出力値（より具体的には、その時系列データ）を含む。
【００１６】
ナビ情報は、車載ナビゲーション装置８４（スケジューラー機能を含むものとする）から出力される情報であって、日時、スケジュール、目的地、目的地までの距離、現在地（或いはその推移）、進行先の坂道やトンネルの有無、交通状況（渋滞情報）、車両周辺の照度（光量）を含む情報である。ここで、目的地とは、ユーザーにより設定される施設等であって、車両がこれに到達できるようにスピーカーや表示画面による経路案内が行なわれる。
【００１７】
また、情報送信部８９には、車両情報やナビ情報の他、ワイパー、方向指示器、空調装置、オーディオ等の操作状況が入力される。
【００１８】
メモリ３０は、ＨＤＤやＤＶＤ、ＣＤ−ＲＯＭ、半導体メモリ等、如何なるものが用いられてもよい。メモリ３０には、操作履歴３１、走行履歴３２、車両機能情報３３、ユーザー情報３４等が格納される。操作履歴３１は、車両情報に含まれるアクセル開度、ブレーキ踏量、ステアリング操舵角等（或いはその時系列データ）に基づいて情報取得部２０が生成する。これによってユーザーの運転傾向を把握することができる。操作履歴３１は、過去の走行履歴に情報を追加する形で格納されてもよいし、過去の走行履歴に新たな走行履歴が加味されて平均等が求められてもよい。
【００１９】
走行履歴３２は、ナビ情報に含まれる現在地（の推移）に基づいて情報取得部２０が生成する。車両機能情報３３は、車両情報に含まれるものが格納される。
【００２０】
ユーザー情報３４は、その他、ユーザーに特有の情報を記憶したものである。
【００２１】
情報提供判断部４０は、メモリ３０に格納された情報等に基づいて、ユーザーに情報提供を行なうか否かを判断する。詳しくは、後述する。そして、アドバイス判断部５０は、情報提供判断部４０によって情報提供を行なうと決定されたときに、アドバイスを行なうのに適切なタイミングか否かを判断する。そして、アドバイスを行なうのに適切なタイミングであると判断したときに、ＨＭＩ６０を制御してユーザーに情報提供を行なう。
【００２２】
ＨＭＩ６０は、ユーザーと本システムとの入出力インターフェースとなる機器群であり、例えば、画像表示を行なうと共に、タッチパネルとしてユーザーによる種々の入力操作を可能に構成されたディスプレイ装置や、音声入出力のためのマイク、スピーカー、ブザー等からなる。
【００２３】
対センター通信部７０は、情報センター１００と通信を行なって、適宜メモリ３０に記憶された情報を修正・補充する。例えば、渋滞情報等のより詳細な情報を得ることができる。また、メモリ３０に記憶された元情報を情報センター１００に送信し、統計処理後の情報を受け取る等の処理を行なう。対センター通信部７０と情報センター１００との間の通信は、例えば、無線基地局９０、及びネットワーク９５を介して行なわれる。対センター通信部７０と無線基地局９０との間では、携帯電話網、ＰＨＳ（Personal  Handy-phone  System）網、無線ＬＡＮ、ＷｉＭＡＸ（Worldwide  Interoperability  for  Microwave  Access）、衛星電話、ビーコン等を利用した無線通信が行なわれる。また、無線基地局９０と情報センター１００を接続するネットワーク９５は、例えば、公衆電話交換網（PSTN）やデジタル通信ネットワーク（ISDN）、光ファイバ等の有線ネットワークである。
【００２４】
図３は、本実施例のアドバイス提供システム１が実行する特徴的な処理の流れを示すフローチャートである。本フローは、例えば、所定周期をもって繰り返し実行される。
【００２５】
まず、情報提供判断部４０は、メモリ３０に記憶された各種情報を入力する（Ｓ１００）。更に、情報センター１００からユーザーに提供すべき情報を入手するように対センター通信部７０に指示する（Ｓ１０２）。
【００２６】
そして、情報提供を行なうか否かを判断し、情報提供を行なうと決定した場合にはアドバイス内容を決定する（Ｓ１０４、１０６）。情報提供を行なわないと判定した場合は、再度Ｓ１００以下の処理を実行する。
【００２７】
続いて、アドバイス判断部５０が、アドバイスを行なうことが適切であるか否かを判断する（Ｓ１０８）。当該判断は、例えば、右折中や高速走行中等、運転負荷の大きい場面においてはアドバイスを行なわないように決定される。判断材料となる車両のおかれた状況については、例えば、情報取得部２０により車両から取得された情報が情報提供判断部４０を介して入力される。アドバイスを行なうことが適切でないと判定した場合は、再度Ｓ１００以下の処理を実行する。
【００２８】
そして、アドバイス判断部５０は、案内に適したタイミングとなるまで待機する（Ｓ１１０）。なお、所定時間経過した場合にＳ１００に戻る等の処理を行なってもよい。
【００２９】
アドバイス判断部５０は、案内に適したタイミングとなると、直近に同じ案内をしたか否かを判定する（Ｓ１１２）。
【００３０】
直近に同じ案内をしていない場合は、通常態様でアドバイスの提供をする（Ｓ１１４）。一方、直近に同じ案内をしている場合は、内容を変更してアドバイスの提供をする（Ｓ１１６）。この内容の変更は、ユーザーが直近のアドバイスに従ったか否かに応じて場合分けされてよい。例えば、ユーザーが直近のアドバイスに従った場合には、より弱いトーンで（省略することも含む）アドバイスを提供し、ユーザーが直近のアドバイスに従っていない場合には、より強いトーンでアドバイスを提供する。
【００３１】
そして、今回のアドバイスにユーザーが従ったか否かを判定し、その結果をメモリ３０に記憶して（Ｓ１１８）、本フローの１ルーチンを終了する。
【００３２】
ここで、情報提供判断部４０により決定されるアドバイスの具体例について述べる。例えば、ユーザーが普段利用して以内車両を運転している場合、車両機能情報３３に基づいて、「（車名称）○○でも、△△の機能が利用できます。詳しくお話しましょうか？」等のメッセージを出力する。そして、ＨＭＩ６０に対してユーザーが肯定的な反応をした場合は、詳細情報説明を行なう。この際に、ＨＭＩ６０において画像表示を行なう場合は、ユーザーが普段運転している車両において表示している画面と一致（又は類似）させることが好ましい（以下同じ）。
【００３３】
これとは逆に、ユーザーが運転している車両に、ユーザーが普段運転している車両にはない機能が存在する場合には、「○○は、〜を実現する機能です。説明しましょうか？」等のメッセージを出力する。そして、ＨＭＩ６０に対してユーザーが肯定的な反応をした場合は、詳細情報説明を行なう。
【００３４】
また、走行履歴３２に基づいて、「新しく○○ができました。詳しくお話しましょうか？」等のメッセージを出力する。ここで、○○とは、ユーザーが普段走行している経路の近辺に新しくできた高速道路や施設等である。そして、ＨＭＩ６０に対してユーザーが肯定的な反応をした場合は、詳細情報説明を行なう。
【００３５】
また、操作履歴３１を参照し、普段運転している車両とブレーキ性能が異なる場合は、普段運転している車両の方がブレーキ性能が高いときには、「ブレーキペダルをもう少し強く踏み込んでください」等のメッセージを出力し、普段運転している車両の方がブレーキ性能が低いときには、「ブレーキペダルをもう少し緩やかに踏み込んでください」等のメッセージを出力する。
【００３６】
また、操作履歴３１を参照し、普段運転している車両と発進時駆動性能が異なる場合は、普段運転している車両の方が発進時駆動性能が高いときには、「発進時にはアクセルペダルをもう少し強く踏み込んでください」等のメッセージを出力し、普段運転している車両の方が発進時駆動性能が低いときには、「発進時にはアクセルペダルをもう少し緩やかに踏み込んでください」等のメッセージを出力する。
【００３７】
また、操作履歴３１を参照し、普段運転している車両と操舵比が異なる場合は、普段運転している車両の方が操舵比が大きいときには、「もう少し大きめにハンドルを切ってください」等のメッセージを出力し、普段運転している車両の方が操舵比が小さいときには、「もう少し小さめにハンドルを切ってください」等のメッセージを出力する。
【００３８】
また、車両機能情報３３及びナビ情報を参照し、車両の進行先に下り坂が存在するときに、現在運転している車両がハイブリッド車であってＢレンジ機能を有するときには、「Ｂレンジにすると、より多くのエネルギーが回収できます」等のメッセージを出力する。また、車両の進行先に登り坂が存在するときには、駆動性能の差に応じて、「アクセルペダルをもう少し強く踏み込んでください」又は「アクセルペダルをもう少し緩やかに踏み込んでください」等のメッセージを出力する。
【００３９】
また、車両機能情報３３及びナビ情報を参照し、車両の進行先にトンネルが連続して存在するときに、現在運転する車両がＡＵＴＯライト機能を有する場合には、「トンネルが連続する道路です。ＡＵＴＯライトにしましょうか？」等のメッセージを出力する。これに対しユーザーが従わなかった場合、例えば、「ＡＵＴＯライトを使用すると、オン／オフの操作が不要となります」等のメッセージを出力する（Ｓ１１６の一具体例）。
【００４０】
また、車両機能情報３３及びナビ情報を参照し、車両周辺の照度が十分でない状態で走行している場合に、「辺りが暗くなってきました。ライトを付けましょうか？」等のメッセージを出力する。これに応じなかった場合、現在運転する車両がＡＵＴＯライト機能を有するときには、「ＡＵＴＯライトを使用すると、オン／オフの操作が不要となります」等のメッセージを出力する。
【００４１】
また、車両機能情報３３及びナビ情報を参照し、車両の走行する道路が渋滞中である場合、現在運転する車両がＡＣＣ（Adaptive  Cruise  Control）機能を有するときには、「前車追従システムを利用されますか？」等のメッセージを出力する。そして、ＨＭＩ６０に対してユーザーが肯定的な反応をした場合は、ＡＣＣ始動用のスイッチの位置を報知する。ユーザーが否定的な反応をした、或いは無反応であった場合は、「〜に、前車追従ができるシステムのボタンがあります」等のメッセージを出力する。
【００４２】
このように、本実施例のアドバイス提供システム１によれば、操作履歴３１や走行履歴３２、ユーザー情報３４に基づいてユーザーに適応したアドバイス提供を行なうことができる。
【００４３】
また、携帯可能なデバイスとして構成されるため、ユーザーが普段運転している車両において収集された情報を持ち込んで、特にユーザーが普段運転しない車両を運転する場合に、適切なアドバイスを提供することができる。
【００４４】
また、ナビ情報を加味してアドバイスの可否や適切なタイミングを決定するため、アドバイスの際に運転者に不快感を与えることを抑制することができる。
【００４５】
また、車載ナビゲーション装置８４との連携により、経路情報（目的地までの距離や坂道の有無、交通状況、トンネルの有無）を考慮したアドバイスを行なうため、ユーザーが効率的に車両を運転することができる。
【００４６】
また、スケジュールや交通状況を加味してアドバイスを行なうため、効果的な運転支援を行なうことができる。
【００４７】
また、ユーザー情報３４を用いて個人認証の精度を向上させることができ、更にユーザー情報３４を用いてネットワーク上の情報を収集することができる。
【００４８】
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００４９】
例えば、必ずしも携帯可能なデバイスとして構成される必要はなく、情報センターや車載機が同様の機能を有するものとしてもよい。例えば、情報センターに実施例においてメモリ３０に記憶されていた如き情報を情報センターに保持し、車両起動時にセンターに接続してアドバイスに必要な情報を取得するものとしてもよい。
【産業上の利用可能性】
【００５０】
本発明は、自動車製造業や自動車部品製造業等に利用可能である。
【図面の簡単な説明】
【００５１】
【図１】アドバイス提供システム１の構成の一例を示す機能ブロック図である。
【図２】車載機８０の構成の一例を示す図である。
【図３】本実施例のアドバイス提供システム１が実行する特徴的な処理の流れを示すフローチャートである。
【符号の説明】
【００５２】
１  アドバイス提供システム
１０  ユーザー認証部
２０  情報取得部
３０  メモリ
４０  情報提供判断部
５０  アドバイス判断部
６０  ＨＭＩ
７０  対センター通信部
８０  車載機
８１  アクセル開度センサー
８２  ブレーキ踏量センサー
８３  ステアリング操舵角
８４  車載ナビゲーション装置
８５  ＧＰＳ受信機
８６  記憶部
８７  制御コンピューター
８８  車両機能記憶部
８９  情報送信部
９０  無線基地局
９５  ネットワーク
１００  情報センター
【図１】
0005115072.tif 000002
【図２】
0005115072.tif 000003
【図３】
0005115072.tif 000004